(57)【要約】【課題】アナログ設定値が設定されたスケジュールを示す画面を表示する。【解決手段】設備に対するアナログ設定値が時刻単位で設定されたスケジュールを記憶するスケジュール記憶部２２と、スケジュール記憶部２２に記憶されたスケジュールに基づいて、当該スケジュールを、長さ方向でアナログ設定値の時間割を示し、幅方向で当該アナログ設定値の大きさを示す棒形状２４０２で示したスケジュール画面２４０１を生成する画面生成部２４と、画面生成部２４により生成されたスケジュール画面２４０１を表示する表示部２５とを備えた。【選択図】図１
2017199195.tif 000002
【特許請求の範囲】
【請求項１】
設備に対するアナログ設定値が時刻単位で設定されたスケジュールを記憶するスケジュール記憶部と、
前記スケジュール記憶部に記憶されたスケジュールに基づいて、当該スケジュールを、長さ方向でアナログ設定値の時間割を示し、幅方向で当該アナログ設定値の大きさを示す棒形状で示したスケジュール画面を生成する画面生成部と、
前記画面生成部により生成されたスケジュール画面を表示する表示部と
を備えた監視装置。
【請求項２】
前記画面生成部は、前記スケジュールにおけるアナログ設定値の最大値及び最小値に基づく規定値を用い、当該最大値に規定値を加算した値を、前記棒形状における幅方向の最大幅とし、当該最小値に規定値を減算した値を、当該幅方向の最小幅として、当該アナログ設定値の大きさを相対的に表す
ことを特徴とする請求項１記載の監視装置。
【請求項３】
前記画面生成部は、前記棒形状におけるアナログ設定値の切替え点の周辺に、当該切替え後のアナログ設定値を数字で表す
ことを特徴とする請求項１又は請求項２記載の監視装置。
【発明の詳細な説明】
【技術分野】
【０００１】
この発明は、スケジュール画面を表示する監視装置に関するものである。
【背景技術】
【０００２】
従来から、監視装置では、施設内の設備に対するスケジュールを示すスケジュール画面を表示している（例えば特許文献１参照）。この特許文献１に開示された監視装置では、運転種別、設定温度又は室内温度を色で表現したスケジュール画面を表示している。
【先行技術文献】
【特許文献】
【０００３】
【特許文献１】特開２００５−２９１６１０号公報
【発明の概要】
【発明が解決しようとする課題】
【０００４】
しかしながら、従来の監視装置では、設備に対するアナログ設定値を時間単位で設定したスケジュールを作成する機能は存在していない。そのため、従来の監視装置では、そのようなアナログ設定値を含むスケジュールを把握し易く表示する機能も存在していないという課題があった。
【０００５】
この発明は、上記のような課題を解決するためになされたもので、アナログ設定値が時間単位で設定されたスケジュールを示すスケジュール画面を表示することができる監視装置を提供することを目的としている。
【課題を解決するための手段】
【０００６】
この発明に係る監視装置は、設備に対するアナログ設定値が時刻単位で設定されたスケジュールを記憶するスケジュール記憶部と、スケジュール記憶部に記憶されたスケジュールに基づいて、当該スケジュールを、長さ方向でアナログ設定値の時間割を示し、幅方向で当該アナログ設定値の大きさを示す棒形状で示したスケジュール画面を生成する画面生成部と、画面生成部により生成されたスケジュール画面を表示する表示部とを備えたものである。
【発明の効果】
【０００７】
この発明によれば、上記のように構成したので、アナログ設定値が時間単位で設定されたスケジュールを示すスケジュール画面を表示することができる。
【図面の簡単な説明】
【０００８】
【図１】この発明の実施の形態１に係る監視装置を備えた監視システムの構成例を示す図である。
【図２】この発明の実施の形態１に係る監視装置の動作例を示すフローチャートである。
【図３】この発明の実施の形態１におけるスケジュール作成部により作成されたスケジュールの一例を示す図である。
【図４】図４Ａは、この発明の実施の形態１における表示部により表示されるスケジュール画面の一例を示す図であり、図４Ｂは棒形状の説明図である。
【図５】この発明の実施の形態１における表示部により表示されるスケジュール画面の別の一例を示す図である。
【発明を実施するための形態】
【０００９】
以下、この発明の実施の形態について図面を参照しながら詳細に説明する。
実施の形態１．
図１はこの発明の実施の形態１に係る監視装置２を備えた監視システムの構成例を示す図である。
監視システムは、ビル、工場又はプラント等の施設におけるＩ／Ｏを監視するものである。この監視システムは、図１に示すように、複数のリモートコントローラ１（以下、コントローラ１と称す）及び監視装置２を備えている。
【００１０】
コントローラ１は、施設内に設置された該当する設備（不図示）の制御を行うものである。この際、コントローラ１は、ＢＡＣｎｅｔ等のオープンネットワークを介して接続された監視装置２から受信したスケジュールに基づいて、設備の制御を行う。
【００１１】
監視装置２は、オープンネットワークを介して接続されたコントローラ１に対してスケジュールを送信することで、当該コントローラ１を制御するものである。また、監視装置２は、スケジュールを示すスケジュール画面２４０１を表示して設備の監視を行う。以下では、監視装置２が有する機能のうちのスケジュール画面２４０１の表示に関する機能についてのみ説明を行う。この監視装置２は、スケジュール画面２４０１の表示に関する機能として、図１に示すように、スケジュール作成部２１、スケジュール記憶部２２、スケジュール送信部２３、画面生成部２４及び表示部２５を備えている。
【００１２】
スケジュール作成部２１は、該当する設備に対するスケジュールを作成するものである。この際、スケジュール作成部２１は、アナログ設定値を時刻単位で設定したスケジュールを作成する。
スケジュール記憶部２２は、スケジュール作成部２１により作成されたスケジュールを記憶するものである。
スケジュール送信部２３は、スケジュール作成部２１により作成されたスケジュールを、該当する設備を制御するコントローラ１に送信するものである。
【００１３】
画面生成部２４は、スケジュール記憶部２２に記憶されたスケジュールに基づいて、スケジュール画面２４０１を生成するものである。この際、画面生成部２４は、スケジュール画面２４０１において、スケジュールを棒形状２４０２で表す。この棒形状２４０２は、長さ方向がアナログ設定値の時間割を示し、幅方向が当該アナログ設定値の大きさを示す。また、画面生成部２４は、スケジュールにおけるアナログ設定値の最大値及び最小値に基づく規定値を用い、当該最大値に規定値を加算した値を、棒形状２４０２における幅方向の最大幅とし、当該最小値に規定値を減算した値を、当該幅方向の最小幅（幅ゼロ）として、当該アナログ設定値の大きさを相対的に表す。
【００１４】
表示部２５は、画面生成部２４により生成されたスケジュール画面２４０１を、ディスプレイ等の表示装置（不図示）に表示するものである。
【００１５】
次に、実施の形態１に係る監視装置２の動作例について、図１〜４を参照しながら説明する。
監視装置２の動作例では、図２に示すように、まず、スケジュール作成部２１は、該当する設備に対するアナログ設定値を時刻単位で設定したスケジュールを作成する（ステップＳＴ２０１）。図３はスケジュール作成部２１により作成されたスケジュールの一例を示す図である。図３の例では、２つの監視ポイント（Ｐｏｉｎｔ１，Ｐｏｉｎｔ２）に対するスケジュール（アナログ設定値の切替え時刻とその値）を作成した場合を示している。
【００１６】
次いで、スケジュール記憶部２２は、スケジュール作成部２１により作成されたスケジュールを記憶する（ステップＳＴ２０２）。
また、スケジュール送信部２３は、スケジュール作成部２１により作成されたスケジュールを、該当する設備を制御するコントローラ１に送信する（ステップＳＴ２０３）。その後、コントローラ１は、監視装置２から受信したスケジュールに基づいて、設備の制御を行う。
【００１７】
次いで、画面生成部２４は、スケジュール記憶部２２に記憶されたスケジュールに基づいて、アナログ設定値を含むスケジュールを棒形状２４０２で表したスケジュール画面２４０１を生成する（ステップＳＴ２０４）。この棒形状２４０２は、長さ方向がアナログ設定値の時間割を示し、幅方向が当該アナログ設定値の大きさを示す。
【００１８】
また、画面生成部２４は、スケジュールにおけるアナログ設定値の最大値及び最小値に基づく規定値を用い、当該最大値に規定値を加算した値を、棒形状２４０２における幅方向の最大幅とし、当該最小値に規定値を減算した値を、当該幅方向の最小幅（幅ゼロ）として、当該アナログ設定値の大きさを相対的に表す。
【００１９】
例えば設定範囲が０〜９９９である設備に対し、９：００に設定値を２４とし、１７：００に設定値を１６とするスケジュールが作成されているとする。ここで、画面生成部２４が、棒形状２４０２における幅方向の最大幅を９９９とし、最小幅を０としてしまうと、１６と２４とでは幅がほぼ変わらず、アナログ設定値の切替わりの段差が把握し難い。
そこで、画面生成部２４は、スケジュールにおけるアナログ設定値の最大値及び最小値に基づいて、棒形状２４０２における幅方向の値を設定する。なお、規定値は、アナログ設定値の最大値と最小値との間のオーダに応じ、アナログ設定値の切替わりの段差が把握できる値に設定される。
【００２０】
例えば、画面生成部２４は、規定値を０とし、アナログ設定値の最大値２４を棒形状２４０２における幅方向の最大幅とし、最小値１６を最小幅とする。これにより、アナログ設定値の切替わりの段差を容易に把握可能となる。
また、画面生成部２４は、規定値を４（＝（最大値２４−最小値１６）／２）とし、２８（＝最大値２４＋規定値４）を棒形状２４０２における幅方向の最大幅とし、１２（＝最小値１６−規定値４）を最小幅とする。これにより、棒形状２４０２の上下に余白を設けることができ、棒形状２４０２が更に見易くなる。
【００２１】
次いで、表示部２５は、画面生成部２４により生成されたスケジュール画面２４０１を表示装置に表示する（ステップＳＴ２０５）。
【００２２】
図４は、表示部２５により表示されるスケジュール画面２４０１の一例を示す図と、棒形状２４０２の説明図である。
図４Ａに示すスケジュール画面２４０１では、ある設備に対する２日間のスケジュールを棒形状２４０２で示している。この棒形状２４０２は、図４Ｂに示すように、長さ方向ｌでアナログ設定値の時間割を示し、幅方向ｗで当該アナログ設定値の大きさを示している。なお図４Ｂにおいて、符号４０１は棒形状２４０２が図示されるバーの枠線を示し、符号４０２はバーを示している。
【００２３】
このように、スケジュールに含まれるアナログ設定値を所定長さ及び所定幅の棒形状２４０２で示すことで、日毎の時間割及びその大きさをユーザに一目で把握させることができ、設定誤り等を防ぐことができる。なお、上記棒形状２４０２によるアナログ設定値の表示は、アナログ設定値を高さ方向で示す棒グラフを横に並べたというような単純な技術思想ではない。そもそも、時系列データは折れ線グラフで表すのが一般的であるし、棒グラフは高さ方向と幅方向で他種の値を表現するものではない。
【００２４】
以上のように、この実施の形態１によれば、設備に対するアナログ設定値が時刻単位で設定されたスケジュールを記憶するスケジュール記憶部２２と、スケジュール記憶部２２に記憶されたスケジュールに基づいて、当該スケジュールを、長さ方向でアナログ設定値の時間割を示し、幅方向で当該アナログ設定値の大きさを示す棒形状２４０２で示したスケジュール画面２４０１を生成する画面生成部２４と、画面生成部２４により生成されたスケジュール画面２４０１を表示する表示部２５とを備えたので、アナログ設定値が時間単位で設定されたスケジュールを示すスケジュール画面２４０１を表示することができる。
【００２５】
なお画面生成部２４は、上記機能に加え、図５に示すように、棒形状２４０２におけるアナログ設定値の切替え点の周辺に、当該切替え後のアナログ設定値を数字で表示するようにしてもよい。これにより、アナログ設定値の切替え点及びその値をより把握し易くすることができる。
【００２６】
また上記では、スケジュール作成部２１を設けた場合を示した。しかしながら、スケジュール作成部２１は必須の構成ではなく、アナログ設定値が時刻単位で設定されたスケジュールを外部から取得してもよく、監視装置２からスケジュール作成部２１を取除いてもよい。
【００２７】
また、本願発明はその発明の範囲内において、実施の形態の任意の構成要素の変形、もしくは実施の形態の任意の構成要素の省略が可能である。
【符号の説明】
【００２８】
１  コントローラ
２  監視装置
２１  スケジュール作成部
２２  スケジュール記憶部
２３  スケジュール送信部
２４  画面生成部
２５  表示部
２４０１  スケジュール画面
２４０２  棒形状
【図１】
2017199195.tif 000003
【図２】
2017199195.tif 000004
【図３】
2017199195.tif 000005
【図４】
2017199195.tif 000006
【図５】
2017199195.tif 000007